(57)【特許請求の範囲】
【請求項１】
容器ホルダアッセンブリにおいて、
底面に接合された下第１端及び開放した上第２端を持ち、前記第２端から半径方向外方に延びるセクタ形状のシェルフ表面を更に形成する、凹所を取り囲む全体に円筒形のハウジング壁と、
前記シェルフ表面から離れた方に位置する第１位置から前記シェルフ表面と少なくとも部分的に重なる第２位置まで枢動自在の、前記ハウジングに枢着されたセクタ形状カラー部材とを有し、該カラー部材及び前記シェルフ表面は、前記カラー部材が前記第１位置にあるとき、前記凹所の開放した前記第２端よりも小さい開口部をその間に形成する、容器ホルダアッセンブリ。
【請求項２】
前記ハウジングは、下端から上自由端まで延びる湾曲した外壁を有し、該外壁の下端は、前記シェルフ表面の外縁部及び前記ハウジング壁の前記第２端に接合されている、請求項１に記載の容器ホルダアッセンブリ。
【請求項３】
前記アッセンブリの両側に配向された第１及び第２のスロットが前記外壁に形成されており、
前記カラー部材は、その中央部分から外方に突出したタブを有し、このタブは、前記カラー部材が前記第１位置にあるとき、前記第１スロットによって受け入れられ、前記カラー部材が前記第２位置にあるとき、前記第２スロットによって受け入れられる、請求項２に記載の容器ホルダアッセンブリ。
【請求項４】
前記ハウジング壁は、上端及び下端を有する第１側壁部材、及び上端及び下端を有する第２側壁部材を形成し、底面が前記第１及び第２の側壁部材の前記下端に接合されており、前記第１及び第２の側壁部材は互いに接合されて前記凹所を形成し、前記第１側壁部材の曲率半径は前記第２側壁部材の曲率半径よりも大きい、請求項１に記載の容器ホルダアッセンブリ。
【請求項５】
前記シェルフ表面は前記第２側壁部材の前記上縁部に接合されている、請求項４に記載の容器ホルダアッセンブリ。
【請求項６】
前記シェルフ表面の外曲率半径は、前記第１側壁の曲率半径とほぼ同じである、請求項４に記載の容器ホルダアッセンブリ。
【請求項７】
前記カラー部材の内曲率半径は、前記第１壁部材の曲率半径よりも小さい、請求項４に記載の容器ホルダアッセンブリ。
【請求項８】
前記カラー部材の外曲率半径は、前記第１壁部材の曲率半径とほぼ同じである、請求項４に記載の容器ホルダアッセンブリ。
【請求項９】
容器ホルダアッセンブリにおいて、
上端及び下端を持つ第１側壁部材、
上端及び下端を持つ第２側壁部材、
前記第１及び第２の側壁部材の前記下端に接合され、前記第１及び第２の側壁部材とともに凹所を形成する底壁、
前記第２側壁部材の上端に取り付けられており且つこれから半径方向外方に延びるセクタ形状シェルフ部材、及び  前記壁部材に枢着され、前記第１側壁部材に向かって配向された第１位置から前記シェルフ部材と係合する第２位置まで枢動自在のセクタ形状カラー部材を有し、該セクタ形状カラー部材及び前記シェルフ部材は、前記カラー部材が前記第１位置にあるとき、前記凹所の開放した前記第２端よりも小さい開口部をその間に形成する、容器ホルダアッセンブリ。
【請求項１０】
第３壁に前記第１及び第２のスロットが形成されており、これらの第１及び第２のスロットは、前記アッセンブリの両側に配向されており、
前記カラー部材は、その中央部分から外方に突出するタブを有し、前記カラー部材は、前記タブが前記第１スロットに受け入れられて前記第１壁部材と係合した第１位置から前記タブが前記第２スロットによって受け入れられた第２位置まで枢動自在である、請求項９に記載の容器ホルダアッセンブリ。
【請求項１１】
前記第１側壁部材の曲率半径は、前記第２側壁部材よりも大きい、請求項９に記載の容器ホルダアッセンブリ。
【請求項１２】
前記第１及び第２の側壁部材は、前記凹所の軸線と平行な第１平面に沿って互いに接合されている、請求項９に記載の容器ホルダアッセンブリ。
【請求項１３】
前記シェルフ部材の外曲率半径は、前記第１側壁部材の曲率半径とほぼ同じである、請求項１２に記載の容器ホルダアッセンブリ。
【請求項１４】
下端から上自由端まで延びる第３壁を更に有し、該第３壁の前記下端は、前記シェルフ部材の前記外縁部及び前記第１側壁部材の前記上端に接合されている、請求項９に記載の容器ホルダアッセンブリ。
【請求項１５】
前記第３壁は、
部分的に円筒形であり、下端から上自由端まで実質的に軸線方向に延び、下端が前記シェルフ部材の外縁部及び前記第１側壁部材の前記上端に接合された、第１壁部分、及び  部分的に円筒形であり、下端から上自由端まで実質的に軸線方向に延び、前記下端が前記シェルフ部材の前記外縁部及び前記第１側壁部材の前記上端に接合された、第２壁部分を有し、前記第１及び第２の壁部分は、前記アッセンブリの両側に間隔が隔てられており、前記第１壁部材及び前記第１及び第２の壁部分は、その間に第１スロットを形成し、前記第２壁部材及び前記第１及び第２の壁部分は、その間に第２スロットを形成し、前記第１及び第２のスロットは、前記第１平面の両側に配向されている、請求項１４に記載の容器ホルダアッセンブリ。
【請求項１６】
前記カラー部材は、その中央部分から外方に突出したタブを有し、前記カラー部材は、前記タブが前記第１スロットによって受け入れられ且つ前記第１壁部材と係合した第１位置から前記タブが前記第２スロットによって受け入れられ且つ前記第２壁部材と係合した第２位置まで枢動自在である、請求項１５に記載の容器ホルダアッセンブリ。
【請求項１７】
ホルダアッセンブリにおいて、
上端及び下端を有する第１大曲率半径側壁部材、
上端及び下端を有する第２小曲率半径側壁部材であって、第１及び第２の側壁部材は、第１平面に沿って互いに接合され、前記第１平面と平行な軸線を持つ全体に円筒形の凹所を形成する、第２小曲率半径側壁部材、
前記第１及び第２の側壁部材の前記下端に接合された底壁、
前記第２側壁部材の前記上端に取り付けられており且つここから半径方向外方に延び、外曲率半径が前記第１側壁の曲率半径とほぼ同じである、セクタ形状シェルフ部材、
部分的に円筒形であり、下端から上自由端まで実質的に軸線方向に延び、下端が前記シェルフ部材の前記外縁部及び前記第１側壁部材の前記上端に接合された第３側壁部材、
部分的に円筒形であり、下端から上自由端まで実質的に軸線方向に延び、前記下端が前記シェルフ部材の前記外縁部及び前記第１側壁部材の前記上端に接合された第４側壁部材であって、前記第３及び第４の壁部材は、前記第１平面に関して垂直な第２平面の両側に間隔が隔てられており、前記第１、第３、及び第４壁部材はその間に第１スロットを形成し、前記第２、第３、及び第４壁部材はその間に第２スロットを形成し、前記第１及び第２のスロットは前記第１平面の両側に配向されている、第４側壁部材、及び  前記第１平面と平行な枢軸に沿って壁部材に枢着されたセクタ形状カラー部材であって、その中央部分から外方に突出したタブを有し、前記タブが前記第１スロットに受け入れられ且つ前記第１壁部材と係合する第１位置から前記タブが第２スロットに受け入れられ且つ前記第２壁部材と係合する第２位置まで枢動自在である、セクタ形状カラー部材を有し、該セクタ形状カラー部材及び前記シェルフ部材は、前記カラー部材が前記第１位置にあるとき、前記凹所の開放した前記第２端よりも小さい開口部をその間に形成する、ホルダアッセンブリ。
【発明の詳細な説明】
【０００１】
【発明の属する技術分野】
本発明は、飲料用容器等を受け入れて保持するための車輛用アクセサリーに関する。
【０００２】
【従来の技術】
清涼飲料水の缶やボトル及びコーヒーマグ等の種々の大きさの容器を受け入れるためのホルダを提供するのが望ましい。この問題点を解決しようとするため、種々の設計が提案された。例えば、米国特許第５，１０２，０８５号には、円筒形のベース内を摺動する円筒形中空挿入体を有する容器ホルダが開示されている。しかしながら、背の高い容器を受け入れるために挿入体を延ばす場合には、挿入体の底壁の狭幅の開口部を通して容器を装着しなければならない。米国特許第５，３２６，０６４号及び米国特許第４，７２１，２１６号の両方には、大径の上区分及び小径の下区分を持つドリンクホルダが開示されている。しかしながら、このようなホルダでは、背の高い狭幅の容器は、その底端しか保持されていないため、転びやすい。簡単な構造で種々の容器を固定的に収容する容器ホルダを提供するのが望ましい。
【０００３】
【発明が解決しようとする課題】
従って、本発明の目的は、種々の大きさ及び種類の容器を固定的に且つ便利に保持できる飲料用容器ホルダを提供することである。
【０００４】
【課題を解決するための手段】
これらの目的及び他の目的は、容器ホルダアッセンブリが、全体に円筒形の凹所を形成するハウジング及び凹所の上端から半径方向外方に延びるシェルフ表面を含む、本発明によって達成される。セクタ形状カラー部材がハウジングに枢着されており、シェルフ表面から遠ざかる方向に配向された第１位置からシェルフ表面と少なくとも部分的に重なる第２位置まで枢動する。カラー部材及びシェルフ表面は、カラー部材が第１位置にあるとき、凹所の上端よりも小さい開口部をその間に形成する。カラーは、凹所の開放端に亘って延びる外壁のスロットに受け入れられるタブを有する。
【０００５】
【発明の実施の形態】
添付図面を参照すると、ホルダアッセンブリは、上端１４及び下端１６を持つ第１大曲率半径側壁部材１２及び上端２０及び下端２２を持つ第２小曲率半径側壁部材１８を形成するハウジング１０を有する。第１及び第２の側壁部材１２及び１８は、半径方向及び軸線方向に延びる壁１３及び１９によって、第１平面２４に沿って互いに接合されており、第１平面２４と平行な軸線を持つ全体に円筒形の凹所２６を形成する。底壁２８は、第１及び第２の側壁部材１２及び１８の下端に接合されている。
【０００６】
更に、ハウジング１０は、セクタ形状のシェルフ部材３０を形成し、この部材は、第２側壁部材１８の上端２０から約１８０°の角度に亘って半径方向外方に延びている。シェルフ部材３０の外曲率半径は、第１側壁１２の曲率半径とほぼ同じであり、その内曲率半径は第２側壁１８の曲率半径とほぼ同じである。
【０００７】
更に、ハウジング１０は、部分的に円筒形の第３側壁部材３２を形成し、この部材は、下端３４から上自由端３６まで実質的に軸線方向に延びている。下端３４は、シェルフ部材３０の外縁部及び第１側壁部材１２の上端１４に接合されている。
【０００８】
更に、ハウジング１０は、部分的に円筒形の第４側壁部材４０を形成し、この部材もまた下端から上自由端まで実質的に軸線方向に延びている。第４側壁部材４０の下端もまた、シェルフ部材３０の外縁部及び第１側壁部材１２の上端１４に接合されている。
【０００９】
第３及び第４の壁部材３２、４０は、凹所２６の上端を実質的に取り囲むノッチを持つ湾曲壁を互いに形成する。この湾曲壁は、実際には、凹所２６を軸線方向に延長するものである。第３及び第４の壁部材３２、４０は、第１平面２４に関して垂直な第２平面４２の両側に間隔が隔てられている。第１、第３、及び第４の壁部材は、第１スロット４４をその間に形成し、シェルフ部材３０及び第３及び第４の壁部材は、第２スロット４６をその間に形成する。枢動ピン穴４７及び４９が、ハウジングに、シェルフ部材３０の上面の平面の近くに、第１平面２４と整合して形成されている。スロット４６は、好ましくは、スロット４４よりも大きく、飲用マグ（図示せず）の把手（図示せず）を便利に受け入れるように配向されている。
【００１０】
ホルダアッセンブリは、セクタ形状カラー部材５０を更に有し、この部材は、第３及び第４の壁部材３２、４０の下端或いは壁１２及び１８の上端に、穴４７及び４９が構成する枢軸に沿って枢着されている。カラー部材５０は、セクタ形状本体５１、本体５１の中央部から外方に突出したタブ５２、及び本体５１の両端から半径方向外方に突出し、対応する穴４７及び４９によって受け入れられる一対の枢軸５４、５６を有する。カラー部材の本体５１の内曲率半径は、第１壁部材１２の曲率半径よりも小さく、第２壁部材１８の曲率半径とほぼ同じである。カラー部材の本体５１の外曲率半径は、第１壁部材１２の曲率半径とほぼ等しい。
【００１１】
カラー部材５０は、タブ５２が第１スロット４４によって受け入れられ、第１壁部材１２の上端１４と係合する第１位置（図２に実線で示す）、及びタブ５２が第２スロット４６によって受け入れられ、上端シェルフ部材３０と係合する第２位置（図２に破線で示す）まで枢動できる。
【００１２】
カラー部材５０がその第１位置にあるとき、カラー部材５０及びシェルフ部材３０は、適正な大きさのマグ（図示せず）を使用する人がこのマグに容易にアクセスするため、このようなマグをホルダアッセンブリの頂部近くで支持するほぼ完全な環状シェルフ表面を互いに形成する。更に、カラー部材５０がその第１位置にあるとき、カラー部材５０及びシェルフ部材３０は、清涼飲料水のボトル（図示せず）のような背が高くて狭幅の容器の周りにぴったりと嵌まるように、凹所２６の上端よりも小さい開口部をその間に形成する。好ましくは、マグの把手を大きい方のスロット４６内に位置決めできる。
【００１３】
カラー部材５０がその第２位置にあるとき、カラー部材５０はシェルフ３０と実質的に重なっており、凹所２６の下部分へのアクセスが容易になる。その結果、缶又はボトル（図示せず）のような背の高い飲料容器を凹所２６に受け入れ、これを底壁２８によって支持することができる。
【００１４】
本発明を特定の実施例と関連して説明したが、当業者には、以上の説明から多くの変形及び変更が明らかであるということは理解されよう。従って、本発明は、添付の特許請求の範囲の精神及び範囲内のこのような変形及び変更の全てを含もうとするものである。
【図面の簡単な説明】
【図１】本発明による容器ホルダアッセンブリの平面図である。
【図２】図１の２−２線に沿った断面図である。
【図３】本発明による容器ホルダアッセンブリの斜視図である。
【符号の説明】
１０  ハウジング
１２  第１大曲率半径側壁部材
１８  第２小曲率半径側壁部材
２４  第１平面
２６  凹所
２８  底壁
３０  シェルフ部材
３２  第３側壁部材
４０  第４側壁部材
【図１】
0003884515.tif 000002
【図２】
0003884515.tif 000003
【図３】
0003884515.tif 000004